(57)【要約】【課題】  正確な情報の再生・記録を可能とする対物レンズ保持装置、特に、ＢＤ対応用の記録再生装置等、対物レンズの作動距離が小さい記録再生装置においても正確な情報の記録・再生を可能にする対物レンズ保持装置を提供する。【解決手段】  対物レンズ１を保持するレンズホルダ３の光ディスク２対向面に、対物レンズ１を挟むように２つのリブ３０が形成されており、このリブ３０の光ディスク２対向面には、対物レンズ１よりも光ディスク２側に突出するプロテクタ４が設けられている。【選択図】  図１
2007018632.tif 000002
【特許請求の範囲】
【請求項１】
光源からの光を光記録媒体に収束させる対物レンズを、当該光記録媒体に対向するように保持するレンズホルダと、その光記録媒体側対向面が上記対物レンズよりも光記録媒体側に形成されているプロテクタとを備える対物レンズ保持装置であって、
上記レンズホルダの光記録媒体対向面には、対物レンズを挟むように少なくとも２つのリブが形成されており、
上記プロテクタは、上記リブの光記録媒体対向面に設けられていることを特徴とする対物レンズ保持装置。
【請求項２】
上記リブは、その長手方向が、上記光記録媒体の外周の接線方向に略垂直になるように形成されていることを特徴とする請求項１に記載の対物レンズ保持装置。
【請求項３】
上記プロテクタ部は、コーティングによって設けられたコーティング層であることを特徴とする請求項１または２に記載の対物レンズ保持装置。
【請求項４】
上記プロテクタ部は、上記リブの長手方向における両端部に設けられていることを特徴とする請求項１〜３のいずれか１項に記載の対物レンズ保持装置。
【請求項５】
上記リブの光記録媒体対向面は、上記対物レンズと光記録媒体との間に設けられていることを特徴とする請求項１〜４のいずれか１項に記載の対物レンズ保持装置。
【請求項６】
請求項１〜５のいずれか１項に記載の対物レンズ保持装置を備え、上記光記録媒体に対してフォーカス方向およびトラッキング方向の少なくとも２方向に移動可能に支持される可動部と、
上記可動部を少なくとも上記２方向に移動させる駆動部とを備える対物レンズ駆動装置。
【請求項７】
請求項６に記載の対物レンズ駆動装置を備える光ピックアップ装置。
【請求項８】
請求項７に記載の光ピックアップ装置を備える記録再生装置。
【発明の詳細な説明】
【技術分野】
【０００１】
本発明は、光記録媒体に対して、光を利用して情報の記録および／または再生を行うための対物レンズ保持装置、対物レンズ駆動装置、光ピックアップ装置、および記録再生装置に関するものである。
【背景技術】
【０００２】
ＣＤ（Compact Disk）やＤＶＤ（Digital Versatile Disk）等の光ディスク（光記録媒体）に対して光学的に情報の記録再生を行う光ディスク装置（記録再生装置）には光ピックアップ装置が搭載されている。
【０００３】
光ピックアップ装置では、対物レンズによって収束される情報の記録・再生用の光のビームスポットを、光ディスクの記録面に螺旋または同心円状に形成されたトラックに追従させ、正確な情報の記録・再生を行うために、トラッキングサーボおよびフォーカシングサーボが採用されている。
【０００４】
また、トラッキングサーボおよびフォーカシングサーボを実行するために、光ピックアップ装置には対物レンズ駆動装置が搭載されている。この対物レンズ駆動装置においては、対物レンズを保持している可動部が、対物レンズの光軸方向（フォーカス方向）および光ディスクの半径方向（トラッキング方向）に動作可能なように支持されているとともに、磁石とコイルを利用した駆動部によって、可動部が上記の各方向へ駆動されるようになっている。
【０００５】
こうして可動部が駆動され、対物レンズがフォーカス方向へ駆動されることで、光ディスクの記録面にビームスポットの焦点を一致させるためのフォーカシングサーボが行われる。また対物レンズが光ディスクの半径方向へ駆動されることによって、光ディスクの記録面のトラックにビームスポットを追従させるためのトラッキングサーボが行われる。
【０００６】
しかし、記録再生装置への予期せぬ衝撃等の外乱により、光ディスクへの追従動作が乱れ（サーボ外れによる制御エラー）が発生した場合、対物レンズと光ディスクが異常接近し、接触・衝突する可能性がある。
【０００７】
このような接触を避けるために、対物レンズ近傍にプロテクタが配置された対物レンズ保持装置が提案されている。このプロテクタは、対物レンズと光ディスクが接触する前に、光ディスクと接触することで、対物レンズと光ディスクが直接接触することを回避し、対物レンズおよび光ディスクの保護を行うものである。
【０００８】
例えば、特許文献１には、対物レンズおよびレンズホルダよりも軟質の材料で形成された２つのプロテクタを、接着剤によって、対物レンズの光軸を挟む両側に設けた対物レンズ保持装置が記載されている。
【０００９】
一方、近年、より一層の高密度・大容量化への対応が求められており、ＢＤ（Blu-ray Disk）用光ピックアップ等の開発が進められている。
【００１０】
光ディスクにおいて、単位面積当りの記録容量（記録密度）の向上は、光ピックアップ装置から得られるビームスポット径を小さくすることで実現することができる。上記ビームスポット径の最小径は、光の回折のために、一般にλ／ＮＡ（λは使用する光源の波長、ＮＡは光学系の開口数）に比例する。従って、上記記録容量の向上のためには、使用する光源の波長を短くするか、または光ピックアップ装置の光学系の開口数を大きくすればよいことが知られている。
【００１１】
光源の波長を短くするために、光源として青色系の半導体レーザーを用いた光ピックアップ装置の実用化が進んでいる。
【００１２】
また、光ピックアップ装置の光学系、つまり対物レンズの開口数は、ＣＤでは約０．４５、ＤＶＤでは、約０．６、ＢＤでは、約０．８と、大きく設定されている。開口数が大きくなるに従って、対物レンズの作動距離（ワーキングディスタンス）は小さくなる。対物レンズの作動距離とは、対物レンズと光ディスクとの間の距離のことである。例えば、ＣＤを対象とする光ピックアップ装置では作動距離は約１ｍｍ〜１．２ｍｍ、ＤＶＤでは約０．６ｍｍ、ＢＤでは約０．１ｍｍ〜０．３ｍｍと非常に小さい。
【００１３】
ＢＤ対応用記録再生装置等の、対物レンズの作動距離を必要とする光ディスクを対象とする記録再生装置では、特許文献１に記載されている対物レンズ駆動装置のように、プロテクタ部材を別途形成してレンズホルダに固定することによって、レンズプロテクタを形成することが困難である。
【００１４】
そこで、レンズプロテクタをコーティングによって形成することで、対物レンズと光ディスクとが直接接触することを回避し、対物レンズおよび光ディスクの保護を行う技術が提案されている（例えば特許文献２）。
【特許文献１】特開２００４−１３９６９４号公報（２００４年５月１３日公開）
【特許文献２】特開２００２−２２２５３５号公報（２００２年８月９日公開）
【発明の開示】
【発明が解決しようとする課題】
【００１５】
従来は、上述したような技術によって、対物レンズの位置をフォーカシングサーボおよびトラッキングサーボによって制御すると共に、上述したレンズプロテクタによって光ディスクと対物レンズとの接触を防止していた。つまり、上述したような技術によって、光ディスクに対する対物レンズの位置を制御し、これによって情報の正確な記録・再生を実現しようとしていた。
【００１６】
しかしながら、これらの技術では、十分に安定したフォーカシングサーボおよびトラッキングサーボが得られない等、記録再生装置の性能は十全であるとはいえなかった。そのため、より正確な情報の記録・再生を実現するために、新たな技術の開発が強く求められていた。
【００１７】
本発明は、上記従来の課題に鑑みたものであって、正確な情報の再生・記録を可能とする対物レンズ保持装置、特に、対物レンズの作動距離が小さい記録再生装置に用いても正確な情報の記録・再生を可能にする対物レンズ保持装置、およびその利用を提供することを目的とする。
【課題を解決するための手段】
【００１８】
本発明に係る対物レンズ保持装置は、上記課題を解決するために、光源からの光を光記録媒体に収束させる対物レンズを、当該光記録媒体に対向するように保持するレンズホルダと、光記録媒体対向面が上記対物レンズよりも光記録媒体側に形成されているプロテクタとを備える対物レンズ保持装置であって、上記レンズホルダの光記録媒体対向面には、対物レンズを挟むように少なくとも２つのリブが形成されており、上記プロテクタは、上記リブの光記録媒体対向面に設けられていることを特徴とする。
【００１９】
上記構成によると、レンズホルダの光記録媒体対向面に形成されたリブによって、対物レンズ保持装置の剛性が高められる。これによって、この対物レンズ保持装置を備える可動部の共振周波数が増加する。このように可動部の共振周波数が増加することによって、より安定したフォーカシングサーボおよびトラッキングサーボを得ることができる。
【００２０】
特に、ＢＤを対象とする記録再生装置、または高倍速ＤＶＤ等の対物レンズの作動距離が小さく対物レンズ開口数の大きな記録再生装置では、高いサーボ帯域を必要とする。つまり、このような記録再生装置では、安定かつ高精度なフォーカシングサーボおよびトラッキングサーボが必要とされ、フォーカスサーボまたはトラッキングサーボが不安定となることで、記録・再生ができなくなる。
【００２１】
本発明に係る対物レンズ保持装置は、上述したようにフォーカシングサーボおよびトラッキングサーボの安定性を高めることができるので、対物レンズの作動距離の小さい記録再生装置においても、正確かつ安定した情報の記録・再生を可能とする。
【００２２】
また、以上のように、リブによってレンズホルダの剛性が高められるので、レンズホルダの不要な部分（肉部）を削って軽量化することが可能となる。レンズホルダの軽量化によって、対物レンズ保持装置が軽量化することができ、これによって対物レンズ駆動装置の駆動感度を向上させることができる。なお、駆動感度が向上するとは、対物レンズ保持装置を移動させるのに必要な電流が小さくて済むことを意味する。つまり本発明に係る対物レンズ保持装置によって、対物レンズ駆動装置の消費電力を低減することができる。
【００２３】
なお、仮に従来の対物レンズ保持装置において、レンズホルダを削って軽量化を図ろうとすると、剛性が低下してしまい、上述したように安定したフォーカスサーボおよびトラッキングサーボが得られないという問題が起こる。
【００２４】
すなわち、本発明に係る対物レンズ保持装置は、リブを備えることによって、従来は不可能であった剛性と軽量化との両立を可能とする。それゆえ、本発明に係る対物レンズ保持装置は、記録再生装置における情報の正確な記録および再生を可能とする。
【００２５】
また、本発明に係るレンズ保持装置は、上記プロテクタを備えているため、対物レンズと光記録媒体との接触を防止することができる。つまり、このプロテクタがレンズプロテクタの役割を果たし、対物レンズと光記録媒体との接触による対物レンズおよび光ディスクの傷付きを防止することができる。従って、正確かつ安定した情報の記録および再生が可能となる。
【００２６】
さらに、リブの光記録媒体側端面にプロテクタを設けることで、リブとは別の位置にプロテクタを設けてレンズプロテクタとするよりも、プロテクタを小型化することができる。従って、対物レンズ保持装置を軽量化および小型化することができ、上述したように、駆動感度がさらに向上するという効果を奏する。
【００２７】
また、上記リブは、その長手方向が、上記光記録媒体の外周の接線方向に略垂直になるように形成されていることが好ましい。
【００２８】
上記構成によると、対物レンズに対して、光記録媒体の半径方向には、リブおよびプロテクタが形成されていないことになる。
そのため、この対物レンズ保持装置を備える記録再生装置では、対物レンズ周波数特性の測定のために、光記録媒体の半径方向から、対物レンズの側面にレーザー光を直接照射することができる。そのため、周波数特性を正確に測定することができ、安定かつ正確な情報の記録・再生を行うことができるという効果を奏する。
【００２９】
また、上記プロテクタ部は、コーティングによって設けられたコーティング層であることが好ましい。
【００３０】
コーティングは、層厚管理のコントロールが可能であるとともに、層厚を薄くすることができるので、プロテクタの光記録媒体側端面の位置を正確に調整することができる。つまり、上記構成によって、対物レンズの作動距離の小さい記録再生装置においても、対物レンズと光ディスクとの接触を確実に防止することができ、かつ光ディスクを傷付けることのないプロテクタをコンパクトに形成することが可能になる。
【００３１】
上記プロテクタ部は、上記リブの長手方向における両端部に設けられていることが好ましい。
【００３２】
上記構成によると、プロテクタが対物レンズおよびレンズホルダ上の対物レンズ搭載部から離れることになる。これによって、サーボ外れの制御エラーにより光ディスクと対物レンズ保持装置とが接近し、プロテクタと光ディスクとが接触しても、接触によりはがれ落ちたプロテクタの一部（プロテクタの削れ）が、対物レンズの表面に付着する可能性が低くなる。その結果、安定かつ良好な記録再生を行うことができる。
【００３３】
さらに、高精度な加工によるマスキング治具を準備しなくても、対物レンズが搭載される面等にプロテクタの材料が漏れ込みにくくなるため、プロテクタ製造における歩留まりが向上し、低コスト化が可能になる。
【００３４】
上記リブの光記録媒体対向面は、上記対物レンズと光記録媒体との間に設けられていることが好ましい。
【００３５】
上記構成によると、リブの光記録媒体対向面が対物レンズの作動距離内に設けられることになる。これによって、光記録媒体が、対物レンズ保持装置と、プロテクタが搭載されていない部分において接触しても、対物レンズよりリブの方が優先して光記録媒体と接触する。言い換えると、リブによって対物レンズと光記録媒体との接触が防止できる。そのため、正確かつ安定した情報の記録・再生が可能となる。
【００３６】
上記課題を解決するために、本発明の対物レンズ駆動装置は、上記対物レンズ保持装置を備え、上記光記録媒体に対してフォーカス方向およびトラッキング方向の少なくとも２方向に移動可能に支持される可動部と、上記可動部を少なくとも上記２方向に移動させる駆動部とを備えることが好ましい。
【００３７】
上記構成によると、対物レンズ駆動装置は、上記対物レンズ保持装置を備えるため、駆動感度およびフォーカスサーボおよびトラッキングサーボの安定性に優れている。そのため、上記対物レンズ駆動装置は、正確かつ安定した情報の記録・再生を行うことができる。
【００３８】
また、本発明には、上記対物レンズ駆動装置を備える光ピックアップ装置、さらに、当該光ピックアップ装置を備える記録再生装置も含まれる。
【発明の効果】
【００３９】
本発明に係る対物レンズ保持装置は、上述したように、レンズホルダの光記録媒体対向面には、対物レンズを挟むように少なくとも２つのリブが形成されており、上記プロテクタ部は、上記リブの光記録媒体対向面に設けられている。
【００４０】
上記構成によると、本発明に係る対物レンズ保持装置は、レンズホルダにリブが形成されていることによって、対物レンズ保持装置の剛性を向上することができる。それゆえ、安定したフォーカシングサーボおよびトラッキングサーボを得ることができる。
【００４１】
また、リブによって対物レンズ保持装置の剛性を保ちつつ軽量化することが可能となる。それゆえ、上記対物レンズを備えた対物レンズ駆動装置はその駆動感度が向上する。その結果、消費電力を低減することが可能となる。
【００４２】
また、リブの光記録媒体対向面にプロテクタを形成することによって、より一層軽量化、小型化することができる。
【発明を実施するための最良の形態】
【００４３】
本実施の形態に係る光ピックアップ装置および記録再生装置について、図１〜１０を参照して説明すると以下の通りである。
【００４４】
図７は、本実施の形態に係る記録再生装置の概略を示す断面図である。
【００４５】
本実施の形態の記録再生装置は、光ディスク（光記録媒体）２に形成されたトラックを照射光（光）によって走査することによって情報の記録および／または再生を行う光ピックアップ装置と、光ピックアップ装置からの照射光に対して光ディスク２を回転させるディスク回転装置（図示せず）とを備える。
【００４６】
本実施の形態に係る記録再生装置が情報の記録および／または再生の対象とする光ディスク２は、光を利用して情報を記録・再生できる媒体であれば限定されるものではなく、光磁気ディスク等も含まれる。このような光ディスク２としては、円板状の光ディスク、例えばＣＤ、ＤＶＤ、またはＢＤ等が挙げられる。
【００４７】
なお、本実施の形態の記録再生装置では、上述のように光ディスク２を回転させているが、これに限らず、光ディスク２に対する光の照射位置を移動させ、それによって情報の記録および／または再生を行うことができる装置であればよい。
【００４８】
次に光ピックアップ装置について述べる。本実施の形態の光ピックアップ装置は、光ディスクへの情報の記録および光ディスクからの情報の再生のうち少なくともいずれか一方をする光ピックアップ装置であって、光を出射する光源と対物レンズとを有し、光源から出射される光を光ディスクの情報記録面に集光する集光手段と、対物レンズ駆動装置と、集光手段によって集光され、光ディスクから反射される光を検出する光検出手段とを備えるものである。
【００４９】
光ピックアップ装置の構成について、より具体的に述べる。本実施の形態の光ピックアップ装置は、光ディスク２に対して光を出射する光源２０、光ディスク２からの反射光を検出する光検出手段２５、および、光源２０からの光を光ディスク２上に導くと共に光ディスク２からの反射光を光検出手段２５に導く集光手段（１、２１〜２４）を備える。
【００５０】
図７に示すように、集光手段は、光源２０側から光ディスク２側に向かって、コリメータレンズ２１、プリズム２２、偏光ビームスプリッタ２３、および対物レンズ１をこの順で備える。また、集光手段は、偏光ビームスプリッタ２３と光検出手段２５との間に、コリメータレンズ２４をさらに備えている。
【００５１】
光源２０からの出射光は、コリメータレンズ２１によって平行光とされた後、入射光と反射光とを分離するビームスプリッタ２３を透過し、対物レンズ１を通って光ディスク２のトラックに焦点を結ぶ。
【００５２】
一方、光ディスク２からの反射光は、対物レンズ１を通って偏光ビームスプリッタ２３に入り、偏光ビームスプリッタ２３によってコリメータレンズ２４側に導かれる。コリメータレンズ２４は、光検出手段２５上に反射光を集光し、光検出手段２５によって反射光が検出される。光検出手段２５は、受光素子（光センサー）を有し、コリメータレンズ２４によって集光された反射光を、受光素子によって検出する。
【００５３】
なお、集光手段としては、上述した構成の他に、回折格子、１／４波長板および円筒レンズ等が必要に応じて設けられていてもよい。また、光源２、光検出手段２５、および光ピックアップ装置および記録再生装置に含まれる図示しない各種装置についても、特に限定されるものではなく、従来公知の装置を適用することができる。
【００５４】
また、本発明の実施の形態に係る対物レンズ１としては、近年の高記録密度化を実現するために、光ビームを細く絞り込むことが可能なＮＡの大きい対物レンズを用いている。
【００５５】
図７に示すように、本実施の形態の光ピックアップ装置は、さらに対物レンズ駆動装置５０を備える。対物レンズ駆動装置５０は、対物レンズ保持装置と、対物レンズ保持装置を少なくとも光ディスク２の径方向（トラッキング方向）および対物レンズ１の光軸方向（フォーカス方向）に移動させる駆動部とを備える。
【００５６】
対物レンズ保持装置は、対物レンズ１を光ディスク２に対向するように保持するレンズホルダ３と、プロテクタ４とを備えており、プロテクタ４の光記録媒体対向面は、対物レンズ１よりも光ディスク２側に形成されている。対物レンズ保持装置の詳細については後述する。
【００５７】
対物レンズ駆動装置５０は、光ディスク２上に照射される光のフォーカシング調整およびトラッキング調整を行う装置である。具体的には、対物レンズ駆動装置５０は、光検出手段２５によるレーザー光の検出結果に基づいて対物レンズ保持装置を移動させることで、光源２０からの光が光ディスク２上のトラック上に焦点を結ぶように、対物レンズ１を光ディスク２の記録面２ａに対してフォーカシング方向およびトラッキング方向に移動させる（変位駆動させる）装置である。
【００５８】
対物レンズ駆動装置５０は、上述のレンズ保持装置を備え、さらに駆動部として、駆動コイル群（フォーカシングコイル５およびトラッキングコイル６）、これらの駆動コイル群に対向配置されるマグネット（第一マグネット１２および第二マグネット１３）、およびヨーク（第一ヨーク１０および第二ヨーク（図示せず））を備える。
【００５９】
詳細には、対物レンズ駆動装置５０は、板状のベース部１５、およびベース部１５の光ディスク２側に設けられた保持体９を備えている。また、第一ヨーク１０および第二ヨークは、走査方向において対向するように設けられている。なお、第二ヨークは対物レンズ１の光軸に対して第１ヨーク１０の線対称の位置（図７中、保持体９に隠れる位置）に形成されている。また、同じく走査方向において対向するように、第一マグネット１２および第二マグネット１３が、それぞれ第一ヨーク１０および第二ヨークに固定されている。また、第一マグネット１２および第二マグネット１３に挟まれるように、対物レンズ保持装置を備えた可動部８が設けられている。言い換えると、第一マグネット１２と第二マグネット１３とは、走査方向において可動部８を挟む位置に配置される。また、可動部８は弾性支持部材１４を介して保持体９に保持される。
【００６０】
第一ヨーク１０および第二ヨーク１１は強磁性材料からなる長方形平板状の部材であり、ベース部１５の端部に、折り曲げ立設加工により形成される。また、第一マグネット１２および第二マグネット１３は、共に光ディスク２の半径方向にＮＳ２極着磁された永久磁石片である。
【００６１】
次に、可動部８について、図１・２・７に基づいて説明すると以下の通りである。
【００６２】
図１は、可動部８を光ディスク２側から見た斜視図である。図２は、可動部８およびその周辺を光ディスク２側から見た平面図である。
【００６３】
なお、矢印Ｐは光ディスク２の径方向（光の走査方向に垂直な方向）を、矢印Ｑは光ディスク２の外周の接線方向（光の走査方向）を示す。
【００６４】
図１・７に示すように、可動部８は、対物レンズ１、対物レンズ１を保持するレンズホルダ３を備える対物レンズ保持装置（３，４）、レンズホルダ３の側面（光ディスク２に垂直な面）に設けられたコイル群（５，６）、および基板７を備える。なお対物レンズ１は、レンズホルダ３の光ディスク２対向面に設けられたレンズ搭載領域６０に、例えば紫外線硬化性接着剤などの接着剤によって固定される。
【００６５】
フォーカシングコイル５は、光ディスク２の記録面に対して垂直な方向を軸線とし、レンズホルダ３の外周部に沿って巻回されている。そのため、フォーカシングコイル５は、レンズホルダ３と同様に、光ディスク２と平行な断面形状が略矩形になるように形成される。走査方向Ｑに垂直な面は、第一マグネット１２および第２マグネット１３に臨むように配置されている。
【００６６】
トラッキングコイル６は、走査方向を軸線として巻回され、軸線に垂直な方向の断面形状が略Ｄ形状になるように形成される。また、第一マグネット１２および弟２マグネット１３に臨むフォーカシングコイル５の表面に片側２ヶづつ、合計４ヶ直列に結線されて配置される。コイル群は、レンズホルダ３に対して対物レンズ１が搭載される方向より差込み挿入された後、熱硬化性接着剤等で接着固定されている。
【００６７】
また、可動部８は、基板７を、フォーカシングコイル５のトラッキング方向両側面（Ｐ方向における両側）にそれぞれ１ヶずつ、合計２ヶ備えている。上述の弾性支持部材１４の端部は、この基板７にはんだ等により機械的かつ電気的に連結される。つまり、弾性支持部材１４は、基板７を介して可動部８を保持体９と連結している。また、基板７は、弾性支持部材１４を介してコイル群（５、６）に給電する構成になっている。
【００６８】
弾性支持部材１４は、弾性を有した部材であり、上述したように保持体９とレンズホルダ３とを連結している。可動部８は、弾性支持部材１４の弾性によって保持体９に対して移動可能になっている。つまり、可動部８は、換言するとレンズ保持装置は、光ディスク２に対してフォーカシング・トラッキング方向に移動可能に保持されている。弾性支持部材１４としては、たとえば断面が概丸形状のワイヤ材を用いることができる。本実施の形態では、弾性支持部材１４は、直径約０．１ｍｍのリン青銅ワイヤで形成されており、フォーカシング方向に間隔をあけて片側に２本、これがトラッキング方向において可動部８の両側に設けられるので、合計４本設けられる。弾性支持部材１４の他端は保持体９に連結される。このように弾性支持部材１４によって、レンズホルダ３は（可動部８は）、片持ち保持される。また、４本の弾性支持部材１４のうち、２本はフォーカシングコイル５に、２本はトラッキングコイル６に接続されており、それぞれに電流を印加することで、フォーカシング方向とトラッキング方向との独立駆動が可能である。
【００６９】
上記の対物レンズ駆動装置５０は、フォーカシング補正動作（フォーカシング調整）時には、フォーカシングコイル５、磁界を発生する第一マグネット１２および第二マグネット１３、並びに第一ヨーク１０および第二ヨーク１１によって構成される磁気回路により、フォーカシング方向（光ディスク２の記録面に垂直な方向、対物レンズ１の光軸方向）に可動部８を移動させる。また、トラッキング補正動作（トラッキング調整）時には、トラッキングコイル６、磁界を発生する第一マグネット１２および第二マグネット１３、並びに第一ヨーク１０および第二ヨーク１１によって構成される磁気回路により、トラッキング方向（光ディスク２の記録面２ａに平行な方向）に可動部８を移動させる。
【００７０】
レンズホルダ３は、光ディスク２と平行な断面形状が略矩形であり、光ディスク２との対向面で対物レンズ１を保持する。レンズホルダ３は、可動部８の外部から与えられる振動に対して、除振効果が大きい材料、換言すると減衰特性に優れた材料からなることが好ましい。このような材料として、液晶樹脂（Liquid Crystalline Polymer：ＬＣＰ）が挙げられる。
【００７１】
対物レンズ保持装置は、レンズホルダ３とプロテクタ４とを備えている。本実施の形態の対物レンズ保持装置は、レンズホルダ３の光ディスク２対向面に、対物レンズ１を挟むように２つのリブ３０が設けられている。
【００７２】
図１に示すように、リブ３０は、その長手方向が光ディスク２の外周に略垂直になるように形成されている。具体的には、レンズホルダ３の光ディスク２対向面は矩形になっており、その二辺は光ディスク２の外周の接線方向（図中矢印Ｑで示す方向）に垂直になるように設けられている。そして、その垂直な二辺に沿うようにリブ３０が形成されている。
【００７３】
また、リブ３０は、この辺の一端から他端まで、連続して形成されている。つまり、リブ３０は、レンズホルダ３の光ディスク２対向面の一端から他端まで連続して形成されている。
【００７４】
さらに、リブ３０の間、つまり、レンズホルダ３の光ディスク２対向面において対物レンズ１より外側にあって、リブ３０に挟まれた領域（図中３６で示す領域）は、リブ３０の光ディスク２対向面よりも、また対物レンズ１の頂点（光ディスク２側対向面）よりも低く形成されている。つまり、領域３６は、対物レンズ１よりも光ディスク２から離して設けられている。
【００７５】
さらに、リブ３０の光ディスク２側対向面は、光ディスク２と対物レンズ１の頂点との間に設けられている。
【００７６】
また、本実施の形態のプロテクタ４は、コーティングによって設けられたコーティング層であり、プロテクタ４はリブ３０の両端に形成されている。
【００７７】
本実施の形態に係る対物レンズ保持装置では、上述のように、レンズホルダ３の光ディスク２対向面に、対物レンズ１を挟むように少なくとも２つのリブ３０が形成されている。
【００７８】
上記構成によると、リブ３０を備えていることによって、レンズホルダ３が補強され、剛性が向上する。そのため、レンズホルダ３の不要な肉部を削っても剛性が低下しない。つまり、レンズホルダ３の不要な肉部を削って軽量化することができる。
【００７９】
レンズホルダ３を軽量化することによって、対物レンズ保持装置、ひいては可動部８全体を軽量化することができる。これによって、対物レンズ駆動装置５０の駆動感度が向上する。つまり、より小さな電流で可動部を移動させることができるようになる。それによって、対物レンズ駆動装置５０の消費電力を低減することができる。
【００８０】
従来の技術によるレンズホルダでは、軽量化するために不要な肉部を削ると、レンズホルダの剛性が低下してしまう。このようにレンズホルダの剛性が低下すると、可動部８全体の共振周波数が低下する。上述したように、本実施の形態の光ピックアップ装置は、可動部８を駆動することで、トラッキングサーボおよびフォーカシングサーボによるトラッキング調整およびフォーカシング調整を行っている。ところが、可動部８の共振周波数が低下すると、安定したトラッキングサーボおよびフォーカシングサーボを得ることができない。特に、対物レンズの作動距離が小さく、対物レンズ開口数が大きいＢＤを対象とする記録再生装置、または、高倍速になることで光ディスクの回転数（線速度）が高くなり高いサーボ帯域が必要となる高倍速ＤＶＤ等の記録再生装置では、安定なトラッキングサーボおよびフォーカシングサーボを必要とする。そのため、特にこのような記録再生装置では、トラッキングサーボおよびフォーカシングサーボが不安定となることで、記録再生ができなくなる。
【００８１】
しかしながら、本実施の形態のレンズホルダ３は、上述したようにリブ３０を備えるので、肉部を削ってもレンズホルダ３の剛性が保たれる。そのため安定したフォーカシングサーボおよびトラッキングサーボを実現することができる。つまり、本発明の対物レンズ保持装置は、記録再生装置における正確かつ安定した情報の記録・再生を可能とする。
【００８２】
なお、本実施の形態に係るリブ３０は、図１に示すように、レンズホルダ３の光ディスク２対向面の一端から他端まで連続して形成されている。しかし、本発明はこれに限定されるものではない。つまり、本発明において、リブとは、レンズホルダと一体に形成されている突起であって、レンズホルダの剛性を向上させることができるものであれば、形状等は特に限定されない。ただし、レンズホルダの剛性を高めるためには、対物レンズの径より大きいことが好ましい。また、図１のリブ３０のようにレンズホルダ３の一端から他端まで連続して形成することによって、レンズホルダ３の剛性をより一層高めることができるという効果を奏する。
【００８３】
なお、リブ３０の短手方向の幅は、プロテクタ４を設けることができる幅であればよく、特に限定されるものではない。
【００８４】
プロテクタ４は、リブ３０の光ディスク２対向面に設けられ、プロテクタ４の光ディスク対向面が対物レンズ１よりも光ディスク２側に形成されている。上記構成によって、プロテクタ４は、光ディスク２を傷付けることなく、光ディスク２と対物レンズ１との接触を防止することができる。プロテクタ４による光ディスク２と対物レンズ１との接触防止については後述する。
【００８５】
また、このようにプロテクタ４をリブ３０上に設けることで、リブ３０以外の部分にプロテクタ４を設けるよりも、対物レンズ保持装置を軽量化および小型化することができる。
【００８６】
なお、本実施の形態では、プロテクタ４はリブ３０の両端に設けられているが、本発明はこれに限定されるものではなく、リブ３０の光ディスク２対向面のうちどこに設けられてもよく、全面に設けられていてもよい。本実施の形態のプロテクタ４は、リブ３０の両端に設けられていることで、後述するような効果を奏する。
【００８７】
なお、プロテクタ４を構成する材料は、光ディスク２と接触しても光ディスク２を損傷しない弾力性および／または柔軟性を有することが好ましい。また、光ディスク２とプロテクタ４との接触時に、ひっかかり等によって可動部８を支持する弾性支持部材１４を変形することがないように、低摩擦係数の材料が適している。
【００８８】
また、この他にも、従来のレンズプロテクタに用いられている素材を好適に用いることができる。また、プロテクタ４を設ける方法としては本実施の形態のようにコーティングが好ましいが、本発明はこれに限定されるものではない。コーティングが好ましい理由については後述する。
【００８９】
図１に示すように、本実施の形態の対物レンズ保持装置では、リブ３０の長手方向が、光ディスク２の外周の接線方向に略垂直に形成されており、リブ３０の光ディスク２対向面にプロテクタ４が形成されている。
【００９０】
従来、光ピックアップ装置では、対物レンズ駆動装置５０のフォーカシングおよびトラッキング周波数特性（単に周波数特性と称する場合がある）を測定している。この周波数特性の測定には、レーザードップラ装置が用いられる。正確なトラッキング周波数特性の測定には、光ディスクの径方向、つまり走査方向に垂直な方向から、対物レンズに直接レーザー光を照射することが好ましい。
【００９１】
しかしながら、対物レンズを囲む円形のレンズプロテクタ（特許文献２参照）を備える対物レンズ保持装置では、レンズプロテクタが、光ディスクの径方向からのレーザー光を遮ることになる。従って、対物レンズに直接レーザー光を照射することができない。そのため、このようなレンズプロテクタを備える光ピックアップ装置では、レンズホルダの側面にレーザー光を照射して、周波数特性を測定している。このような光ピックアップ装置では、周波数特性とは無関係なレンズホルダの変形モードを測定する可能性がある。この変形モードから対物レンズ駆動装置５０の周波数特性を分離して確認することができないため、正確な周波数特性が測定できない。そのため、正確にトラッキング周波数特性を評価することができず、正確に対物レンズ駆動装置の記録再生能力を見極めることができないという問題点がある。
【００９２】
本実施の形態の対物レンズ保持装置では、上述したように、リブ３０の長手方向が、光ディスク２の外周の接線方向に略垂直に形成されており、リブ３０の光ディスク２対向面にプロテクタ４が形成されている。
【００９３】
つまり、対物レンズ１からみて、光ディスク２の径方向（Ｐ方向）の少なくとも一方から外れた位置に設けられている。すなわち、対物レンズ１からみて光ディスク２の内周側、または外周側の少なくとも一方には、プロテクタ４が形成されていないことが好ましい。換言すると、対物レンズ１に対して光ディスク２の半径方向に、少なくとも１箇所、対物レンズ１にレーザー光を照射することができる光路が設けられていることになる。
【００９４】
この構成によって、光ディスク２の半径方向から対物レンズ１が見える、つまり光ディスク２の半径方向から対物レンズ１に直接レーザー光を照射することのできる構成となっている。その結果、対物レンズ駆動装置５０のトラッキング周波数特性を正確に測定および評価することができるので、正確な情報の記録および再生が可能となる。なお、対物レンズの側面が１〜２ｍｍ見えれば周波数特性の測定は可能である。
【００９５】
また、本実施の形態の対物レンズ保持装置では、プロテクタ４がリブ３０の長手方向における両端に設けられている。これによって、プロテクタ４と、対物レンズ１およびレンズ搭載部６０とは離れて設けられることになる。なお、この「離れて設けられる」とは、記録面２ａに平行な平面において、距離をもって設けられることを意味する。
【００９６】
この構成によると、サーボ外れの制御エラーにより光ディスク２と対物レンズ保持装置とが接近し、プロテクタ４と光ディスク２とが接触しても、接触によりはがれ落ちたプロテクタ４の一部（プロテクタの削れ）が、対物レンズ１の表面、特に対物レンズの中心から有効光束径の範囲に、付着する可能性が低くなる。その結果、対物レンズ１からの出射光および対物レンズ１への入射光が、プロテクタの削れによって遮られることがない。従って、安定かつ良好な記録再生を行うことができる。
【００９７】
具体的には、図２に示すようにリブ３０の長手方向の形状は対物レンズ１の有効径の接線（図中に点線で示す）に平行に形成されており、かつリブ３０の長手方向における両端は、対物レンズ１の有効径幅よりレンズホルダ３の外側に突出している突出領域３７を備えることが好ましい。プロテクタ４がこの突出領域３７中に形成される場合、プロテクタ４と、対物レンズ１およびレンズ搭載部６０とは離れて設けられることになる。なお、このときプロテクタ４は、リブ３０の長手方向に対して垂直な対物レンズ１の有効径の接線（図中に同じく点線で示す）よりも、レンズホルダ３の外側に形成されることになる。
【００９８】
また、プロテクタ４と対物レンズ１とが離れていることによって、光ディスク２のエッジとの接触時、およびプロテクタ形成時においても利点がある。これらの利点については後述する。
【００９９】
次に、図３〜５を参照して、本実施の形態についてさらに詳細に説明する。
【０１００】
図３は図２に示す可動部８のＸ−Ｘ’断面図であり、図４・５は図２に示す可動部８のＹ−Ｙ’断面図である。
【０１０１】
図３に示すように、本実施の形態に係るプロテクタ４の光ディスク２側対向面は、対物レンズ１よりも光ディスク２側に形成されている。
【０１０２】
つまり、対物レンズ１と光ディスク２との距離ｄ１と、プロテクタ４と光ディスク２との距離ｄ３との関係がｄ１＞ｄ３である。これによって、サーボ外れが起こることで光ディスク２と対物レンズ１とが接近しても、プロテクタ４が対物レンズ１より優先して光ディスク２と接触し、対物レンズ１と光ディスク１との接触を妨げる。また、プロテクタ４は、低摩擦係数および／または光ディスク２よりも柔軟な材料で形成されているので、光ディスク２と接触しても光ディスクを傷付けることがない。
【０１０３】
なお、距離とは２つの物体間の最短距離を表す。つまり、対物レンズ１と光ディスク２との距離とは、対物レンズ１と光ディスク２との最短距離を表す。
【０１０４】
さらに、本実施の形態においては、図３・４に示すように、リブ３０の光ディスク２対向面は、対物レンズ１の光ディスク２側対向面と光ディスク２との間に形成されている。つまり、リブ３０が対物レンズ１よりも光ディスク２側に突出するように形成されている。従って、対物レンズ１と光ディスク２との距離ｄ１、リブ３０と光ディスク２との距離ｄ２、プロテクタ４と光ディスク２との距離ｄ３の関係は、ｄ１＞ｄ２＞ｄ３となる。
【０１０５】
つまり、対物レンズ１の作動距離ｄ１（光ディスク２と対物レンズ１との距離）内に、リブ３０の光ディスク２対向面、およびプロテクタ４の光ディスク２対向面が形成されている。本実施例の場合、対物レンズの作動距離（距離ｄ１）は０．２６ｍｍであり、対物レンズ１からリブ３０の光ディスク２対向面の距離は約０．０８ｍｍ、また対物レンズ１からプロテクタ４の光ディスク２対向面の距離（距離ｄ４）は約０．１６ｍｍに設定されている。
【０１０６】
本実施の形態のレンズ保持装置によって得られる効果を、図５に基づいて説明する。
【０１０７】
リブ３０は、その長手方向が光ディスク２の外周に略垂直になるように形成されているとともに、その長手方向の幅が対物レンズ１の有効径幅よりも大きくなるように形成されている。つまり、図１・５に示すように、光ディスク２の外周が対物レンズ１上を通るとき、この光ディスク２の外周の線が、リブ３０の長手方向における一端と他端との間を通ることになる。
【０１０８】
図５に示すように、光ピックアップ装置が、情報の記録再生を行うために、光ディスク２の外側に移動した場合、リブ３０の端部４箇所に形成されているプロテクタ部材のうち、光ディスク２の外周側に形成された２つのプロテクタ４が、光ディスク２の対向面から外れることがある。このとき、光ディスク２の外周が、リブ３０を横断し、かつプロテクタ４の形成されていない部分を通ることになる。
【０１０９】
このような位置においてサーボ外れの制御エラーが発生した場合でも、リブ３０が、対物レンズ１よりも光ディスク２側に形成されているので、図５に示すように、光ディスク２とリブ３０とが接触し、光ディスク２と対物レンズ１が直接接触することはない。
【０１１０】
また、プロテクタ４がリブ３０の端部に形成されているので、対物レンズ１近傍にプロテクタ４が形成されていない。特に、対物レンズ１に対して、そのＱ方向にはプロテクタ４が形成されていない。そのため、図５に示すような位置でサーボ外れの制御エラーが起きたことによって、光ディスク２の外周部分と対物レンズ保持装置とが接触しても、光ディスクの外周部分（エッジ部分）とプロテクタ４とが接触することはない。そのため、プロテクタ４が削れて対物レンズ１に付着することはない。つまり、プロテクタ４の削れが対物レンズ１に付着することによって対物レンズ１からの光の出射、および対物レンズ１への光の入射を遮ることがない。従って、本実施の形態の光ピックアップ装置は、正確に情報の記録および再生を行うことができる。
【０１１１】
また、プロテクタ４と比べてレンズホルダ３の硬度は高いため、レンズホルダ３が削れて対物レンズ１に付着することもない。
【０１１２】
また、このとき、図５に示すように、光ディスク２のエッジ部分とリブ３０とが接触したとしても、このエッジ部分にデータエリアは無いので、光ディスク２が傷付いたとしてもデータを破損することはない。
【０１１３】
また、本実施の形態のプロテクタ４は、コーティングによって形成されたコーティング層である。コーティングによってプロテクタ４を設ける方法については後述する。コーティングは、層厚を厳密に制御することが可能であるため、対物レンズの作動距離が小さい対物レンズ駆動装置に用いるプロテクタを形成するには非常に適している。以下に詳細に述べる。
【０１１４】
対物レンズの作動距離（ワーキングディスタンス）が１ｍｍ〜１．２ｍｍと大きい対物レンズ駆動装置の場合は、上述の特許文献１のように、対物レンズ近傍に、レンズホルダとは別に形成した部材を接着等によってレンズホルダ上に固定することで、レンズプロテクタを形成することが可能である。
【０１１５】
一方、対物レンズの作動距離が０．１ｍｍ〜０．３ｍｍと小さい高密度光ディスク対応用の対物レンズ駆動装置では、対物レンズと光ディスクとの距離（つまりレンズホルダのレンズ搭載部と光ディスクとの距離）、およびレンズプロテクタと光ディスクとの距離を、より厳密に制御しなければならない。これらの距離が所望の距離からずれると、プロテクタを適正に機能させることが不可能となる。しかしながら、別部材をレンズホルダに固定することによってプロテクタを形成する方法では、このような厳密な制御を行うことは非常に困難である。
【０１１６】
本実施の形態の対物レンズ保持装置では、上述したように、リブ３０を設け、その光ディスク２対向面にコーティングによってプロテクタ４が設けられている。つまり、対物レンズ１の光軸方向における、プロテクタ４の光ディスク２対向面の位置は、リブ３０の光ディスク対向面の位置と、プロテクタ４の厚みとで決定される。リブ３０はレンズホルダ３と一体に形成されているので、対物レンズ１光軸方向における高さを厳密に制御することができる。さらに、コーティングによってプロテクタ４を設けるので、プロテクタ４の厚みを厳密に調整することができる。すなわち、対物レンズ１の光軸方向における、プロテクタ４の光ディスク２対向面の位置を、厳密に調整することが可能である。従って、光ディスク２とプロテクタ４との距離を厳密に制御することが可能となる。
【０１１７】
さらには、リブ３０がレンズホルダ３と一体に形成されていることによって、フォーカス方向におけるレンズ搭載部６０とリブ３０の光ディスク対向面との距離を厳密に制御することができる。従って、フォーカス方向における対物レンズ１の頂点とプロテクタ４との距離も厳密に制御することができる。
【０１１８】
以上のように、光軸方向における対物レンズ１の頂点の位置、およびプロテクタ４の光ディスク対向面の位置を厳密に制御することができるので、本実施の形態の対物レンズ保持装置は、対物レンズの作動距離の小さい記録再生装置にも好適に用いることができる。
【０１１９】
次に、プロテクタ４形成において本実施の形態の奏する効果について説明する。
【０１２０】
コーティングによってプロテクタを形成する場合、レンズホルダへのコーティングによるプロテクタの形成時に、レンズ搭載部等にプロテクタ材料が漏れ込まないようにマスキングを行う必要がある。
【０１２１】
従来の対物レンズ保持装置では、レンズプロテクタが対物レンズの近傍に形成されていた（特許文献２）。そのため、このような従来のレンズプロテクタをコーティングによって形成するには高精度な加工によるマスキング治具を準備する必要がある。
【０１２２】
しかしながら、本実施の形態のプロテクタ４は、対物レンズ１およびレンズ搭載部６０から離して設けられているので、従来のように高精度な加工によるマスキング治具を準備しなくても、レンズ搭載部６０にプロテクタ材料が漏れ込みにくい。
【０１２３】
以下に、コーティングによるプロテクタ４の形成について、図６を参照してより具体的に説明する。
【０１２４】
なお以下では、参考例として図８・９に示す可動部１０８についても説明し、本実施の形態の可動部８と比較することによって、本実施の形態の効果について具体的に説明する。
【０１２５】
図８・９は、それぞれ、参考例である可動部１０８を光ディスク２側から見た斜視図および平面図である。また、図１０は、可動部１０８のコーティング層１０４を形成する際に用いられるマスキング治具の平面図である。
【０１２６】
なお、可動部１０８の一部は、可動部８と同じ部材を用いることができるので、これら部材については、同一の符号を付して、その説明を省略する。
【０１２７】
図８・９に示すように、可動部１０８は、４個のレンズプロテクタ１３０Ｖおよび２個のレンズプロテクタ１３０Ｈは、レンズホルダ１０３の光ディスク２との対向面上にそれぞれ独立して突起している。
【０１２８】
レンズプロテクタ１３０Ｖは、対物レンズ１がトラッキング駆動される方向に隣接して配置されており、対物レンズ１を間に挟んで対となって片側に２個ずつ（合計４個）設けられている。レンズプロテクタ１３０Ｈは、光ディスク２の回転方向に隣接して配置されており、対物レンズ１を間に挟んで片側に１個ずつ（合計２個）設けられている。また、レンズプロテクタ１３０Ｖ・Ｈの光ディスク側端面（光ディスク対向面）には、コーティング層１０４が設けられている。
【０１２９】
このようなコーティング層１０４を形成する場合、図１０に示すようなマスキング治具が必要となる。
【０１３０】
レンズプロテクタ１３０Ｖ・Ｈ外形と穴部１４１とのクリアランスが大きいと、コーティング時にコーティング材料が漏れ込み、レンズ搭載面６０に付着する可能性がある。図１０に示すように、このコーティング層１０４は、レンズ搭載部６０に非常に近い位置に形成される。コーティング材料がレンズホルダ１０３のレンズ搭載部６０等に漏れ込むと安定した対物レンズ１の取り付けを行うことができないので、マスキング治具１４０は、レンズプロテクタ１３０Ｖ・Ｈの形状に高精度に合わせて作成される必要がある。つまり、レンズプロテクタ１３０Ｖ・Ｈの外形と、マスキング治具（プレート）１４０に形成された穴部１４１の外形とは、高精度に合わせられている必要がある。
【０１３１】
一方、図６に示すように、本発明の実施の形態においては、プロテクタ（コーティング層）４はリブ３０の端部４ヶ所に形成される。そのため、プロテクタ４はレンズ搭載部６０から離れて形成されることになる。従って、プロテクタ４の形成位置の調整における自由度が増す。
【０１３２】
従って、プロテクタ４を形成するために、例えば、図６に示すような概円形状４１の穴加工によるマスキング治具４０を準備すればよく、高精度な加工によるマスキング治具を準備しなくても、レンズ搭載部６０等にプロテクタ材料が漏れ込みにくい。このようにプロテクタ材料が漏れ込みにくくなるため、対物レンズ保持装置の製造における歩留まりが向上し、低コスト化が可能になる。
【０１３３】
さらに、レンズホルダ３に対するマスキング治具４０の位置調整における自由度が増すので、マスキング治具４０の位置調整にかかる工程および時間を短縮することができる。
【０１３４】
また、プロテクタ４を、図２に示すように、対物レンズ１の有効径の接線のうち、平行な２本の接線、およびこの接線に直交する２本の接線（いずれも図２中に点線で示す）よりも対物レンズ１の外側に形成することが好ましい。これによって、対物レンズ１との距離を大きくすることができる。従って、レンズホルダ３に対するプロテクタ４形成位置の調整における自由度がさらに増す。
【０１３５】
なお、ここで述べた方法は一例に過ぎず、これ以外の方法によって形成されたコーティング層も、本発明の範疇に含まれる。
【０１３６】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１３７】
また、本発明は、以下の構成とすることもできる。
【０１３８】
光ディスクに対向配置され、光ディスクに対して垂直方向の光軸を有する対物レンズと、対物レンズを保持するレンズホルダと、レンズホルダを少なくとも上記垂直方向および光ディスクの半径方向に移動可能に変位させるように、フォーカシングコイルおよびトラッキングコイル、これらのコイルに対向配置されるマグネット、並びにヨークからなる駆動手段とを備え、上記レンズホルダの光ディスク対向面に、１組のリブが光ディスクの接線方向に概垂直方向かつ、対物レンズを挟んで形成され、レンズホルダと光ディスクとの衝突時に、対物レンズおよび光ディスクの傷付きを防止するプロテクタが、上記リブの光ディスクとの対向面上に備えられている第１の対物レンズ駆動装置。
【０１３９】
上記プロテクタは、コーティングにより形成されている第２の対物レンズ駆動装置。
【０１４０】
第１の対物レンズ駆動装置において、上記プロテクタは、上記リブの概端部に形成されている第３の対物レンズ駆動装置。
【０１４１】
第１の対物レンズ駆動装置において、上記プロテクタを形成する上記リブの高さは、上記対物レンズの作動距離（光ディスクと対物レンズ頂点との距離）内に設定されている第４の対物レンズ駆動装置。
【０１４２】
光ディスクへの情報の記録および光ディスクからの情報の再生のうち少なくともいずれか一方を行う光ピックアップ装置であって、光を出射する光源と、対物レンズを有し、光源から出射される光を光ディスクの情報記録面に集光する集光手段と、第１の対物レンズ駆動装置と、集光手段によって集光され、光ディスクから反射される光を検出する光検出手段とを備える光ピックアップ装置。
【産業上の利用可能性】
【０１４３】
本発明のレンズ保持装置は、光ディスクに対して情報の記録・再生を行うための記録再生装置に好適に用いられる。特に、対物レンズの作動距離の小さい記録再生装置においても正確かつ安定した記録・再生を可能とする。
【図面の簡単な説明】
【０１４４】
【図１】本実施の形態に係る可動部を光ディスク側から見た斜視図である。
【図２】本実施の形態に係る可動部を光ディスク側から見た平面図である。
【図３】図２に示す可動部８のＸ−Ｘ’断面図である。
【図４】図２に示す可動部８のＹ−Ｙ’断面図である
【図５】図２に示す可動部８のＹ−Ｙ’断面図である
【図６】本実施の形態に係るマスキング治具の平面図である。
【図７】本実施の形態に係る記録再生装置の概略を示す断面図である。
【図８】参考例に係る可動部を光ディスク側から見た斜視図である。
【図９】参考例に係る可動部を光ディスク側から見た平面図である。
【図１０】参考例に係るマスキング治具の平面図である。
【符号の説明】
【０１４５】
１      対物レンズ
２      光ディスク（光記録媒体）
２ａ    記録面
３      レンズホルダ
４      プロテクタ
８      可動部
３０      リブ
５０      対物レンズ駆動装置
６０      レンズ搭載部
ｄ１      対物レンズと光ディスクとの距離（対物レンズの作動距離）
ｄ２      リブと光ディスクとの距離
ｄ３      プロテクタと光ディスクとの距離
ｄ４      対物レンズとプロテクタの光ディスク対向面との距離
Ｐ      光ディスクの径方向
Ｑ      光ディスクの外周の接線方向
【図１】
2007018632.tif 000003
【図２】
2007018632.tif 000004
【図３】
2007018632.tif 000005
【図４】
2007018632.tif 000006
【図５】
2007018632.tif 000007
【図６】
2007018632.tif 000008
【図７】
2007018632.tif 000009
【図８】
2007018632.tif 000010
【図９】
2007018632.tif 000011
【図１０】
2007018632.tif 000012